(57)【要約】【課題】冷媒回路の冷媒循環の切換時に発生する過剰冷媒を吸収し、良好な運転を連続的に行う。【解決手段】圧縮機（３）と第１熱交換器（５）と膨張弁（６）と第２熱交換器（７）とが接続されて冷媒を循環させて蒸気圧縮式冷凍サイクルを行う冷媒回路（２）を備えている。第１熱交換器（５）および第２熱交換器（７）は、それぞれ表面に担持された吸着剤を備え、冷媒回路（２）の冷媒循環の切換によって、第１熱交換器（５）および第２熱交換器（７）で水分の吸脱着を交互に行う。そして、冷媒循環の切換時に低圧ラインで発生する過剰冷媒を吸収するための液貯留器（１００，１０１）を第１熱交換器（５）と膨張弁（６）との間および膨張弁（６）と第２熱交換器（７）との間にそれぞれ設けている。この結果、常に低圧ラインで発生する過剰冷媒が液貯留器（１００，１０１）に貯留されるので、良好な運転が連続的に行われる。【選択図】  図１
2004332949.tif 000002
【特許請求の範囲】
【請求項１】
圧縮機（３）と第１熱交換器（５）と膨張機構（６）と第２熱交換器（７）とが配管接続されて冷媒循環が可逆に構成され、蒸気圧縮式冷凍サイクルを行う冷媒回路（２）を備え、
上記第１熱交換器（５）および第２熱交換器（７）は、それぞれ表面に担持された水分の吸脱着可能な吸着剤を備え、
上記冷媒回路（２）の冷媒の循環方向を切り換えて、第１熱交換器（５）および第２熱交換器（７）で水分の吸脱着を交互に行う調湿装置であって、
上記冷媒回路（２）は、少なくとも冷媒の循環方向を切り換えた際の低圧ラインにおける過剰冷媒を吸収するための冷媒調節機構（１００）を備えている
ことを特徴とする調湿装置。
【請求項２】
請求項１において、
上記冷媒調節機構（１００）は、液冷媒の貯留可能な液貯留器（１００，１０１）であり、
上記液貯留器（１００，１０１）は、第１熱交換器（５）と膨張機構（６）との間および膨張機構（６）と第２熱交換器（７）との間にそれぞれ設けられている
ことを特徴とする調湿装置。
【請求項３】
請求項１において、
上記冷媒回路（２）における第１熱交換器（５）と第２熱交換器（７）との間には、整流機構（１０４）によって常時冷媒が一方向に流れる一方向通路（１０３）が形成され、上記膨張機構（６）が一方向通路（１０３）に設けられる一方、
上記冷媒調節機構（１００）は、液冷媒の貯留可能な液貯留器（１００）であり、
上記液貯留器（１００）は、一方向通路（１０３）における膨張機構（６）の下流側に設けられている
ことを特徴とする調湿装置。
【請求項４】
請求項１において、
上記冷媒調節機構（１００）は、液冷媒の貯留可能な液貯留器（１００）であり、
上記液貯留器（１００）は、第１通路（１０７）を介して第１熱交換器（５）と膨張機構（６）との間に接続されると共に、第２通路（１０８）を介して膨張機構（６）と第２熱交換器（７）との間に接続されて、
上記液貯留器（１００）には、圧縮機（３）の吸入側に接続されてガス冷媒が流通するガス抜き管（１１１）が設けられ、
一方、上記第１通路（１０７）および第２通路（１０８）には、それぞれ開閉弁（１０９）が設けられている
ことを特徴とする調湿装置。
【請求項５】
請求項１において、
上記冷媒調節機構（１００）は、圧縮機（３）の吸入側に設けられて液冷媒の貯留可能な液貯留器（１００）である
ことを特徴とする調湿装置。
【請求項６】
請求項１〜４の何れか１項において、
上記圧縮機（３）の吸入側には、液冷媒を貯留するための受液器（１１０）が設けられている
ことを特徴とする調湿装置。
【発明の詳細な説明】
【０００１】
【発明の属する技術分野】
本発明は、調湿装置に関し、特に、吸着剤を用いて水分の吸脱着を行う調湿装置に係るものである。
【０００２】
【従来の技術】
従来より、吸着剤を用いて空気の湿度調節を行う調湿装置が知られている。（例えば、特許文献１参照）。
【０００３】
この調湿装置は、冷媒が循環して冷凍サイクルを行う冷媒回路を備えている。上記冷媒回路の配管の一部には、周囲に吸着剤が封入されたメッシュ容器が設けられている。そして、上記配管は、冷媒回路における冷媒循環の切換によって、蒸発器または凝縮器として機能する。
【０００４】
上記メッシュ容器の吸着剤は、配管が蒸発器として機能するときに、室内空気または室外空気の水分の吸着を行うと共に、配管を流れる冷媒によって冷却される。また、上記メッシュ容器の吸着剤は、配管が凝縮器として機能するときに、配管を流れる冷媒によって加熱されることにより水分の脱着を行い、吸着剤が再生される。
【０００５】
そして、上記配管で水分の吸脱着を交互に繰り返すことによって、除湿運転または加湿運転を連続的に行うようにしている。
【０００６】
【特許文献１】
特開平８−１８９６６７号公報
【０００７】
【発明が解決しようとする課題】
しかしながら、上述した従来の調湿装置において、配管が蒸発器として機能するときと凝縮器として機能するときとでは、必要な冷媒量が異なる。つまり、蒸発器における必要冷媒量は、凝縮器における必要冷媒量より少ない。したがって、冷媒回路の冷媒循環を切り換えると、低圧側に切り換わった低圧ラインに介在していた液冷媒が蒸発器に流入するが、液冷媒の一部は、蒸発しきれずに液冷媒のまま流れる。つまり、冷媒回路の冷媒循環を切り換えた際、低圧側となる低圧ラインには、過剰な冷媒量が発生することになる。この結果、蒸発器で蒸発しきれなかった液冷媒が圧縮機に吸入されることによって、圧縮機が損傷し、良好な運転が阻害される。したがって、低圧側に切り換わった低圧ラインで発生する過剰な冷媒量を吸収して調節する必要があった。
【０００８】
そこで、冷媒回路における循環冷媒量を調節するものとして、従来の空気調和装置や調湿装置に設けられているレシーバが考えられる。しかしながら、この従来のレシーバは、高圧ラインに設けられ、冷房運転時と暖房運転時とにおける冷媒回路の冷媒循環量差を高圧ラインで吸収して調節するためのものであり、冷媒循環の切換により水分の吸脱着を交互に繰り返して除湿または加湿運転を連続的に行う調湿装置において、圧縮機を停止させずに頻繁に冷媒循環を切り換えることによって発生する低圧ラインでの過剰な冷媒量の調節については、何らの対策もされていなかった。
【０００９】
本発明は、斯かる点に鑑みてなされたものであり、その目的とするところは、調湿装置において、少なくとも除湿運転時または加湿運転時における冷媒循環の切換時に発生する過剰な冷媒量を吸収できる冷媒回路を構築し、連続的に良好な運転を可能とする調湿装置を提供することである。
【００１０】
【課題を解決するための手段】
具体的に、請求項１に係る発明は、圧縮機（３）と第１熱交換器（５）と膨張機構（６）と第２熱交換器（７）とが配管接続されて冷媒循環が可逆に構成され、蒸気圧縮式冷凍サイクルを行う冷媒回路（２）を備えて、第１熱交換器（５）および第２熱交換器（７）は、それぞれ表面に担持された水分の吸脱着可能な吸着剤を備え、冷媒回路（２）の冷媒の循環方向を切り換えて第１熱交換器（５）および第２熱交換器（７）で水分の吸脱着を交互に行う調湿装置を前提としている。そして、上記冷媒回路（２）は、少なくとも冷媒の循環方向を切り換えた際の低圧ラインにおける過剰冷媒を吸収するための冷媒調節機構（１００）を備えている。
【００１１】
上記の発明では、水分を吸着する第１熱交換器（５）または第２熱交換器（７）が蒸発器として機能する。一方、水分を脱着する第２熱交換器（７）または第１熱交換器（５）は、凝縮器として機能する。そして、上記冷媒回路（２）の冷媒循環を切り換えると、蒸発器と凝縮器とが切り換わる、つまり高圧ラインと低圧ラインとが切り換わる。
【００１２】
ここで、低圧側に切り換わった低圧ラインに介在していた液冷媒のうち過剰な液冷媒は、冷媒調節機構（１００）に流入し吸収される。したがって、蒸発器として切り換わった第１熱交換器（５）または第２熱交換器（７）には、必要な冷媒量のみが流入して蒸発し、ガス冷媒となって圧縮機（３）に吸入される。この結果、液冷媒の圧縮機（３）への流入が抑制されるので、圧縮機（３）に安全な運転が行われる。
【００１３】
また、請求項２に係る発明は、請求項１において、図１に示すように、上記冷媒調節機構（１００）が液冷媒の貯留可能な液貯留器（１００，１０１）である。そして、上記液貯留器（１００，１０１）は、第１熱交換器（５）と膨張機構（６）との間および膨張機構（６）と第２熱交換器（７）との間にそれぞれ設けられている。
【００１４】
上記の発明では、冷媒回路（２）の冷媒循環を切り換えると、常時低圧ラインで発生する過剰な冷媒量が液貯留器（１００）または液貯留器（１０１）に吸収される。
【００１５】
また、請求項３に係る発明は、請求項１において、図１０に示すように、上記冷媒回路（２）における第１熱交換器（５）と第２熱交換器（７）との間には、整流機構（１０４）によって常時冷媒が一方向に流れる一方向通路（１０３）が形成され、上記膨張機構（６）が一方向通路（１０３）に設けられている。そして、上記冷媒調節機構（１００）は、液冷媒の貯留可能な液貯留器（１００）であり、該液貯留器（１００）は、一方向通路（１０３）における膨張機構（６）の下流側に設けられている。
【００１６】
上記の発明では、冷媒回路（２）の冷媒循環を切り換えても、常時一方向通路（１０３）において、冷媒が膨張機構（６）と液貯留器（１００）とを順に流れる。つまり、上記液貯留器（１００）は、常時低圧ラインに位置していることになる。したがって、常に低圧ラインで発生する過剰な冷媒量が液貯留器（１００）に確実に吸収される。
【００１７】
また、請求項４に係る発明は、請求項１において、図１１に示すように、上記冷媒調節機構（１００）が液冷媒の貯留可能な液貯留器（１００）であり、該液貯留器（１００）は、第１通路（１０７）を介して第１熱交換器（５）と膨張機構（６）との間に接続されると共に、第２通路（１０８）を介して膨張機構（６）と第２熱交換器（７）との間に接続されている。そして、上記液貯留器（１００）には、圧縮機（３）の吸入側に接続されてガス冷媒が流通するガス抜き管（１１１）が設けられ、一方、上記第１通路（１０７）および第２通路（１０８）には、それぞれ開閉弁（１０９）が設けられている。
【００１８】
上記の発明では、冷媒回路（２）における冷媒循環の切換時に、低圧側となる配管に接続されている第１通路（１０７）の開閉弁（１０９）または第２通路（１０８）の開閉弁（１０９）を開けると共に、高圧側となる配管に接続されている第２通路（１０８）の開閉弁（１０９）または第１通路（１０７）の開閉弁（１０９）を閉じる。これにより、低圧側で発生した過剰な冷媒量は、第１通路（１０７）または第２通路（１０８）を通って液貯留器（１００）に確実に貯留される。なお、上記過剰な冷媒量が液貯留器（１００）に貯留されると、この貯留された冷媒と同容量のガス冷媒が液貯留器（１００）から流出し、圧縮機（３）の吸入側に流れる。
【００１９】
また、請求項５に係る発明は、請求項１において、図１３に示すように、上記冷媒調節機構（１００）が圧縮機（３）の吸入側に設けられて液冷媒の貯留可能な液貯留器（１００）である。
【００２０】
上記の発明では、冷媒回路（２）の冷媒循環を切り換えると、低圧ラインで発生する過剰な冷媒量が蒸発器で蒸発しきれずに液冷媒のまま流れても、圧縮機（３）に吸入される前に液貯留器（１００）に吸収貯留される。
【００２１】
また、請求項６に係る発明は、請求項１〜４の何れか１項において、図１２に示すように、上記圧縮機（３）の吸入側には、液冷媒を貯留するための受液器（１１０）が設けられている。
【００２２】
上記の発明では、冷媒回路（２）の冷媒循環を切り換えると、蒸発器として切り換わる第１熱交換器（５）または第２熱交換器（７）に介在していた液冷媒が圧縮機（３）に吸入される前に、受液器（１１０）に貯留される。したがって、液冷媒の圧縮機（３）への流入が確実に抑制され、より安全な運転が行われる。
【００２３】
【発明の実施の形態１】
以下、本発明の実施形態１を図面に基づいて詳細に説明する。
【００２４】
図１〜図５に示すように、本実施形態１の調湿装置（１）は、室内空気の除湿と加湿とを行うものであり、中空直方体状の箱状のケーシング（１７）を備えている。そして、上記ケーシング（１７）には、冷媒が循環して蒸気圧縮式冷凍サイクルを行う冷媒回路（２）が収納されている。
【００２５】
図１に示すように、上記冷媒回路（２）は、圧縮機（３）と、流路切換手段である四路切換弁（１１）と、第１熱交換器（５）と、膨張機構である膨張弁（６）と、第２熱交換器（７）とが順に配管接続されて閉回路に形成されている。
【００２６】
図２に示すように、上記第１熱交換器（５）および第２熱交換器（７）は、それぞれクロスフィン式のフィン・アンド・チューブ型熱交換器により構成されている。具体的に、第１熱交換器（５）および第２熱交換器（７）は、長方形板状に形成されたアルミニウム製の多数のフィン（１３）と、このフィン（１３）を貫通する銅製の伝熱管（１５）とを備えている。
【００２７】
そして、上記各フィン（１３）および伝熱管（１５）の外表面には、水分の吸脱着可能な吸着剤がディップ成形（浸漬成形）により担持されている。
【００２８】
上記吸着剤には、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが用いられる。
【００２９】
なお、本実施形態１では、各フィン（１３）および伝熱管（１５）の外表面に吸着剤をディップ成形により担持しているが、これに限らず、吸着剤としての性能を損なわない限り、如何なる方法でその外表面に吸着剤を担持してもよい。
【００３０】
上記冷媒回路（２）は、四路切換弁（１１）の切り換えによって冷媒の循環方向が切り換わるように構成されている。つまり、上記四路切換弁（１１）が図１の実線側の状態に切り換わると、冷媒回路（２）は、圧縮機（３）から吐出された冷媒が第１熱交換器（５）で凝縮した後、第２熱交換器（７）で蒸発するように冷媒が循環する第１動作を行う。また、上記四路切換弁（１１）が図１の破線側の状態に切り換わると、冷媒回路（２）は、圧縮機（３）から吐出された冷媒が第２熱交換器（７）で凝縮した後、第１熱交換器（５）で蒸発するように冷媒が循環する第２動作を行う。
【００３１】
次に、図３〜図５に基づいて、ケーシング（１７）の内部構造について説明する。なお、上記ケーシング（１７）は、図３において、下端をケーシング（１７）の正面とし、上端をケーシング（１７）の背面とし、左端をケーシング（１７）の左側面とし、右端をケーシング（１７）の右側面とする。また、上記ケーシング（１７）は、図４および図５において、上端がケーシング（１７）の上面であり、下端がケーシング（１７）の下面である。
【００３２】
上記ケーシング（１７）は、平面視正方形で、扁平な箱形に形成されている。上記ケーシング（１７）の左側面板（１７ａ）には、室外空気ＯＡを取り入れる第１吸込口（１９）と、リターン空気である室内空気ＲＡを取り入れる第２吸込口（２１）とが形成されている。一方、上記ケーシング（１７）の右側面板（１７ｂ）には、排出空気ＥＡを室外に排出する第１吹出口（２３）と、調湿空気ＳＡを室内に供給する第２吹出口（２５）とが形成されている。
【００３３】
上記ケーシング（１７）の内部には、仕切部材である仕切板（２７）が設けられ、該仕切板（２７）によってケーシング（１７）の内部には、空気室（２９ａ）と機器室（２９ｂ）とが区画形成されている。上記仕切板（２７）は、ケーシング（１７）の厚さ方向である垂直方向に設けられ、図４および図５において、上端であるケーシング（１７）の上面板（１７ｅ）から下端であるケーシング（１７）の下面板（１７ｆ）に亘って設けられている。さらに、上記仕切板（２７）は、図３において、下端であるケーシング（１７）の正面板（１７ｃ）から上端であるケーシング（１７）の背面板（１７ｄ）に亘って設けられている。
【００３４】
上記機器室（２９ｂ）には、冷媒回路（２）における熱交換器（５，７）を除く圧縮機（３）などが配置されると共に、第１ファン（７９）と第２ファン（７７）とが収納されている。そして、上記第１ファン（７９）は、第１吹出口（２３）に接続され、第２ファン（７７）は、第２吹出口（２５）に接続されている。
【００３５】
上記空気室（２９ａ）には、仕切部材である第１端面板（３３）と、仕切部材である第２端面板（３１）と、仕切部材である中央の区画板（６７）とが設けられている。上記第１端面板（３３）と第２端面板（３１）と区画板（６７）とは、ケーシング（１７）の厚さ方向である垂直方向に設けられ、図４および図５に示すように、ケーシング（１７）の上面板（１７ｅ）から下面板（１７ｆ）に亘って設けられている。
【００３６】
上記第１端面板（３３）と第２端面板（３１）とは、図３に示すように、ケーシング（１７）の左側面板（１７ａ）から仕切板（２７）に亘って設けられている。また、上記第１端面板（３３）は、図３において、ケーシング（１７）の中央部よりやや上側に配置され、上記第２端面板（３１）は、図３において、ケーシング（１７）の中央部よりやや下側に配置されている。
【００３７】
上記区画板（６７）は、図３に示すように、第１端面板（３３）と第２端面板（３１）とに亘って設けられている。
【００３８】
そして、上記ケーシング（１７）の内部には、第１端面板（３３）と第２端面板（３１）と区画板（６７）と仕切板（２７）とによって第１熱交換室（６９）が区画形成されている。また、上記ケーシング（１７）の内部には、第１端面板（３３）と第２端面板（３１）と区画板（６７）とケーシング（１７）の左側面板（１７ａ）とによって第２熱交換室（７３）が区画形成されている。つまり、上記第１熱交換室（６９）は、図３において右側に位置し、上記第２熱交換室（７３）は、図３において左側に位置し、上記第１熱交換室（６９）と第２熱交換室（７３）とは、隣接して並行に形成されている。
【００３９】
また、上記第１熱交換室（６９）には、第１熱交換器（５）が配置され、上記第２熱交換室（７３）には、第２熱交換器（７）が配置されている。
【００４０】
上記第１端面板（３３）とケーシング（１７）の背面板（１７ｄ）との間には、仕切部材である水平板（６１）が設けられて第１流入路（６３）と第１流出路（６５）とが形成されている。また、上記第２端面板（３１）とケーシング（１７）の正面板（１７ｃ）との間には、仕切部材である水平板（５５）が設けられて第２流入路（５７）と第２流出路（５９）とが形成されている。
【００４１】
上記水平板（６１，５５）は、ケーシング（１７）の内部空間をケーシング（１７）の厚さ方向である垂直方向に上下に仕切っている。そして、図４において、第１流入路（６３）が上面側に、第１流出路（６５）が下面側に形成され、図５において、第２流入路（５７）が上面側に、第２流出路（５９）が下面側に形成されている。
【００４２】
つまり、上記第１流入路（６３）と第１流出路（６５）とは、第１熱交換室（６９）及び第２熱交換室（７３）の各一面が連続する厚さ方向の一端面に沿って形成され、且つ第１熱交換室（６９）及び第２熱交換室（７３）の厚さ方向に重畳して配置されている。
【００４３】
また、上記第２流入路（５７）と第２流出路（５９）とは、第１熱交換室（６９）及び第２熱交換室（７３）の各一面が連続する端面で上記一端面に対向する対向面に沿って形成され、且つ第１熱交換室（６９）及び第２熱交換室（７３）の厚さ方向に重畳して配置されている。
【００４４】
そして、上記第１流入路（６３）及び第１流出路（６５）と第２流入路（５７）及び第２流出路（５９）とは、図３において、対称に配置され、つまり、第１熱交換室（６９）及び第２熱交換室（７３）を横断する中央線を基準として面対称に配置されている。
【００４５】
更に、上記第１流入路（６３）は、第１吸込口（１９）に連通し、上記第１流出路（６５）は、第１ファン（７９）に連通して第１吹出口（２３）に連通している。また、上記第２流入路（５７）は、第２吸込口（２１）に連通し、上記第２流出路（５９）は、第２ファン（７７）に連通して第２吹出口（２５）に連通している。
【００４６】
上記第１端面板（３３）には、図４に示すように、４つの開口（３３ａ〜３３ｄ）が形成されて、各開口（３３ａ〜３３ｄ）には、それぞれ開閉手段である第１ダンパ（４７）、第２ダンパ（４９）、第３ダンパ（５１）及び第４ダンパ（５３）が設けられている。上記４つの開口（３３ａ〜３３ｄ）は、行列方向に近接して位置し、つまり、上下左右に２つずつ升目状に配置され、第１の開口（３３ａ）と第３の開口（３３ｃ）とが第１熱交換室（６９）に開口し、第２の開口（３３ｂ）と第４の開口（３３ｄ）とが第２熱交換室（７３）に開口している。
【００４７】
上記第１の開口（３３ａ）は、第１流入路（６３）と第１熱交換室（６９）とを連通させ、上記第３の開口（３３ｃ）は、第１流出路（６５）と第１熱交換室（６９）とを連通させている。また、上記第２の開口（３３ｂ）は、第１流入路（６３）と第２熱交換室（７３）とを連通させ、上記第４の開口（３３ｄ）は、第１流出路（６５）と第２熱交換室（７３）とを連通させている。
【００４８】
上記第２端面板（３１）には、図５に示すように、４つの開口（３１ａ〜３１ｄ）が形成されて、各開口（３１ａ〜３１ｄ）には、それぞれ開閉手段である第５ダンパ（３５）、第６ダンパ（３７）、第７ダンパ（３９）及び第８ダンパ（４１）が設けられている。上記４つの開口（３１ａ〜３１ｄ）は、行列方向に近接して位置し、つまり、上下左右に２つずつ升目状に配置され、第５の開口（３１ａ）と第７の開口（３１ｃ）とが第１熱交換室（６９）に開口し、第６の開口（３１ｂ）と第８の開口（３１ｄ）とが第２熱交換室（７３）に開口している。
【００４９】
上記第５の開口（３１ａ）は、第２流入路（５７）と第１熱交換室（６９）とを連通させ、上記第７の開口（３１ｃ）は、第２流出路（５９）と第１熱交換室（６９）とを連通させている。また、上記第６の開口（３１ｂ）は、第２流入路（５７）と第２熱交換室（７３）とを連通させ、上記第８の開口（３１ｄ）は、第２流出路（５９）と第２熱交換室（７３）とを連通させている。
【００５０】
また、上記調湿装置（１）は、除湿運転と加湿運転とが切り換わるように構成されている。
【００５１】
例えば、除湿運転時において、上記調湿装置（１）は、冷媒が蒸発する第２熱交換器（７）または第１熱交換器（５）を流れる空気の水分を吸着剤で吸着し、冷媒が凝縮する第１熱交換器（５）または第２熱交換器（７）を流れる空気に水分を放出させて吸着剤を再生し、上記吸着剤で除湿された空気を室内に供給するように冷媒回路（２）の冷媒循環及びダンパ（４７〜５３，３５〜４１）による空気流通を切り換える。
【００５２】
一方、加湿運転時において、上記調湿装置（１）は、冷媒が蒸発する第１熱交換器（５）または第２熱交換器（７）を流れる空気の水分を吸着剤で吸着し、冷媒が凝縮する第２熱交換器（７）または第１熱交換器（５）を流れる空気に水分を放出させて吸着剤を再生し、上記吸着剤で加湿された空気を室内に供給するように冷媒回路（２）の冷媒循環及びダンパ（４７〜５３，３５〜４１）による空気流通を切り換える。
【００５３】
上記調湿装置（１）は、何れの運転時においても、冷媒回路（２）の冷媒循環を切り換えて、第１熱交換器（５）および第２熱交換器（７）で水分の吸脱着を交互に行うことによって、除湿運転および加湿運転を連続的に行うように構成されている。すなわち、上記冷媒回路（２）における第１熱交換器（５）および第２熱交換器（７）は、冷媒循環の切換によって、高圧側である凝縮器と低圧側である蒸発器とに交互に切り換わる。
【００５４】
また、上記冷媒回路（２）は、本発明の特徴として、液冷媒の貯留可能な２個の液貯留器（１００，１０１）を備えている。この各液貯留器（１００，１０１）は、第１熱交換器（５）と膨張弁（６）との間および膨張弁（６）と第２熱交換器（７）との間にそれぞれ接続されている。
【００５５】
上記液貯留器（１００，１０１）は、それぞれが除湿運転時および加湿運転時における冷媒循環の切換により低圧側の配管で発生する過剰な冷媒量を吸収できる容積を備えている。
【００５６】
すなわち、上記液貯留器（１００）は、第１熱交換器（５）が凝縮器（高圧側）から蒸発器（低圧側）に切り換わると、第１熱交換器（５）と膨張弁（６）との間の配管に介在していた液冷媒のうち過剰な冷媒量を貯留する。一方、上記液貯留器（１０１）は、第２熱交換器（７）が凝縮器（高圧側）から蒸発器（低圧側）に切り換わると、膨張弁（６）と第２熱交換器（７）との間の配管に介在していた液冷媒のうち過剰な冷媒量を貯留する。
【００５７】
−運転動作−
次に、上述した調湿装置（１）の運転動作について説明する。この調湿装置（１）は、第１空気と第２空気とを取り込み、除湿運転と加湿運転とを切り換えて行う。また、上記調湿装置（１）は、第１動作と第２動作とを交互に繰り返すことにより、除湿運転および加湿運転を連続的に行う。また、上記調湿装置（１）は、全換気モードの除湿運転および加湿運転と、循環モードの除湿運転および加湿運転とを行う。
【００５８】
《全換気モードの除湿運転》
この全換気モードの除湿運転は、室外空気ＯＡを第１空気として取り込み室内に供給する一方、室内空気ＲＡを第２空気として取り込み室外に排出する運転である。
【００５９】
〈第１動作〉
上記第１動作では、第２熱交換器（７）での吸着動作と、第１熱交換器（５）での再生（脱着）動作とが行われる。
【００６０】
具体的に、上記第１動作では、四路切換弁（４）が図１の実線側の状態に切り換えられる。つまり、冷媒回路（２）における第１熱交換器（５）が凝縮器（高圧側）として、第２熱交換器（７）が蒸発器（低圧側）として機能する。また、上記第２ダンパ（４９）、第３ダンパ（５１）第８ダンパ（４１）および第５ダンパ（３５）を開き、第１ダンパ（４７）、第４ダンパ（５３）、第６ダンパ（３７）および第７ダンパ（３９）を閉じる。
【００６１】
図６に示すように、上記状態で、第１ファン（７９）および第２ファン（７７）を駆動すると、第２吸込口（２１）より流入した室内空気ＲＡは、第２流入路（５７）を流れ、開口（３１ａ）から第１熱交換室（６９）に流れる。この第１熱交換室（６９）において、室内空気ＲＡは、第１熱交換器（５）の吸着剤から脱着した水分が放出されて加湿される。この加湿された室内空気ＲＡは、排出空気ＥＡとなり、開口（３３ｃ）から第１流出路（６５）に流れ、第１ファン（７９）を介して第１吹出口（２３）より室外に排出される。
【００６２】
一方、上記第１吸込口（１９）より流入した室外空気ＯＡは、第１流入路（６３）を流れ、開口（３３ｂ）から第２熱交換室（７３）に流れる。この第２熱交換室（７３）において、室外空気ＯＡは、水分が第２熱交換器（７）の吸着剤に吸着されて除湿される。この除湿された室外空気ＯＡは、調湿空気ＳＡとなり、開口（３１ｄ）から第２流出路（５９）に流れ、第２ファン（７７）を介して第２吹出口（２５）より室内に供給される。
【００６３】
次に、上記冷媒回路（２）における冷媒循環について説明する。上記圧縮機（３）を駆動すると、該圧縮機（３）で圧縮された高温高圧の冷媒が四路切換弁（１１）を経て第１熱交換器（５）に流れる。この第１熱交換器（５）において、冷媒は放熱して凝縮し、この冷媒の放熱によって第１熱交換器（５）の外表面に担持された吸着剤が加熱され、吸着剤から水分が脱着して吸着剤が再生される。
【００６４】
そして、上記第１熱交換器（５）で凝縮した冷媒は、膨張弁（６）で減圧され、第２熱交換器（７）に流れる。この第２熱交換器（７）において、冷媒は吸着剤が水分を吸着する際に発生する吸着熱を吸熱して蒸発する。この冷媒の吸熱によって吸着剤が冷却される。上記蒸発した冷媒は、再び圧縮機（３）に戻り、この冷媒循環を繰り返す。
【００６５】
〈第２動作〉
上記第１動作を行った後、冷媒回路（２）の冷媒循環を切り換えることにより第２動作を行う。この第２動作では、第１熱交換器（５）での吸着動作と、第２熱交換器（７）での再生（脱着）動作とが行われる。
【００６６】
具体的に、上記第２動作では、四路切換弁（４）が図１の破線側の状態に切り換えられる。つまり、冷媒回路（２）における第１熱交換器（５）が蒸発器（低圧側）として、第２熱交換器（７）が凝縮器（高圧側）として機能する。また、上記第１ダンパ（４７）、第４ダンパ（５３）、第７ダンパ（３９）および第６ダンパ（３７）を開き、第３ダンパ（５１）、第２ダンパ（４９）、第５ダンパ（３５）および第８ダンパ（４１）を閉じる。
【００６７】
図７に示すように、上記状態で、第１ファン（７９）および第２ファン（７７）を駆動すると、第２吸込口（２１）より流入した室内空気ＲＡは、第２流入路（５７）を流れ、開口（３１ｂ）から第２熱交換室（７３）に流れる。この第２熱交換室（７３）において、室内空気ＲＡは、第２熱交換器（７）の吸着剤から脱着した水分が放出されて加湿される。この加湿された室内空気ＲＡは、排出空気ＥＡとなり、開口（３３ｄ）から第１流出路（６５）に流れ、第１ファン（７９）を介して第１吹出口（２３）より室外に排出される。
【００６８】
一方、上記第１吸込口（１９）より流入した室外空気ＯＡは、第１流入路（６３）を流れ、開口（３３ａ）から第１熱交換室（６９）に流れる。この第１熱交換室（６９）において、室外空気ＯＡは、水分が第１熱交換器（５）の吸着剤に吸着されて除湿される。この除湿された室外空気ＯＡは、調湿空気ＳＡとなり、開口（３１ｃ）から第２流出路（５９）に流れ、第２ファン（７７）を介して第２吹出口（２５）より室内に供給される。
【００６９】
次に、上記冷媒回路（２）における冷媒循環について説明する。上記圧縮機（３）を駆動すると、該圧縮機（３）で圧縮された高温高圧の冷媒が四路切換弁（１１）を経て第２熱交換器（７）に流れる。この第２熱交換器（７）において、冷媒は放熱して凝縮し、この冷媒の放熱によって第２熱交換器（７）の外表面に担持された吸着剤が加熱され、吸着剤から水分が脱着して吸着剤が再生される。
【００７０】
そして、上記第２熱交換器（７）で凝縮した冷媒は、膨張弁（６）で減圧され、第１熱交換器（５）に流れる。この第１熱交換器（５）において、冷媒は吸着剤が水分を吸着する際に発生する吸着熱を吸熱して蒸発する。この冷媒の吸熱によって吸着剤が冷却される。上記蒸発した冷媒は、再び圧縮機（３）に戻り、この冷媒循環を繰り返す。
【００７１】
上記第２動作を行った後、再び第１動作を行う。そして、この第１動作と第２動作とを繰り返して室内の除湿を連続的に行う。
【００７２】
《全換気モードの加湿運転》
この全換気モードの加湿運転は、室内空気ＲＡを第１空気として取り込み室外に排出する一方、室外空気ＯＡを第２空気として取り込み室内に供給する運転である。
【００７３】
〈第１動作〉
上記第１動作では、第２熱交換器（７）での吸着動作と、第１熱交換器（５）での再生（脱着）動作とが行われる。
【００７４】
具体的に、上記第１動作では、四路切換弁（４）が図１の実線側の状態に切り換えられる。つまり、冷媒回路（２）における第１熱交換器（５）が凝縮器（高圧側）として、第２熱交換器（７）が蒸発器（低圧側）として機能する。また、上記第１ダンパ（４７）、第４ダンパ（５３）、第７ダンパ（３９）および第６ダンパ（３７）を開き、第３ダンパ（５１）、第２ダンパ（４９）、第５ダンパ（３５）および第８ダンパ（４１）を閉じる。
【００７５】
図８に示すように、上記状態で、第１ファン（７９）および第２ファン（７７）を駆動すると、第２吸込口（２１）より流入した室内空気ＲＡは、第２流入路（５７）を流れ、開口（３１ｂ）から第２熱交換室（７３）に流れる。この第２熱交換室（７３）において、室内空気ＲＡは、水分が第２熱交換器（７）の吸着剤に吸着されて除湿される。この除湿された室内空気ＲＡは、排出空気ＥＡとなり、開口（３３ｄ）から第１流出路（６５）に流れ、第１ファン（７９）を介して第１吹出口（２３）より室外に排出される。
【００７６】
一方、上記第１吸込口（１９）より流入した室外空気ＯＡは、第１流入路（６３）を流れ、開口（３３ａ）から第１熱交換室（６９）に流れる。この第１熱交換室（６９）において、室外空気ＯＡは、第１熱交換器（５）の吸着剤から脱着した水分が放出されて加湿される。この加湿された室外空気ＯＡは、調湿空気ＳＡとなり、開口（３１ｃ）から第２流出路（５９）に流れ、第２ファン（７７）を介して第２吹出口（２５）より室内に供給される。
【００７７】
次に、上記冷媒回路（２）における冷媒循環について説明する。上記圧縮機（３）を駆動すると、該圧縮機（３）で圧縮された高温高圧の冷媒が四路切換弁（１１）を経て第１熱交換器（５）に流れる。この第１熱交換器（５）において、冷媒は放熱して凝縮し、この冷媒の放熱によって第１熱交換器（５）の外表面に担持された吸着剤が加熱され、吸着剤から水分が脱着して吸着剤が再生される。
【００７８】
そして、上記第１熱交換器（５）で凝縮した冷媒は、膨張弁（６）で減圧され、第２熱交換器（７）に流れる。この第２熱交換器（７）において、冷媒は吸着剤が水分を吸着する際に発生する吸着熱を吸熱して蒸発する。この冷媒の吸熱によって吸着剤が冷却される。上記蒸発した冷媒は、再び圧縮機（３）に戻り、この冷媒循環を繰り返す。
【００７９】
〈第２動作〉
上記第１動作を行った後、冷媒回路（２）の冷媒循環を切り換えることにより第２動作を行う。この第２動作では、第１熱交換器（５）での吸着動作と、第２熱交換器（７）での再生（脱着）動作とが行われる。
【００８０】
具体的に、上記第２動作では、四路切換弁（４）が図１の破線側の状態に切り換えられる。つまり、冷媒回路（２）における第１熱交換器（５）が蒸発器（低圧側）として、第２熱交換器（７）が凝縮器（高圧側）として機能する。また、上記第２ダンパ（４９）、第３ダンパ（５１）、第８ダンパ（４１）および第５ダンパ（３５）を開き、第４ダンパ（５３）、第１ダンパ（４７）、第６ダンパ（３７）および第７ダンパ（３９）を閉じる。
【００８１】
図９に示すように、上記状態で、第１ファン（７９）および第２ファン（７７）を駆動すると、第２吸込口（２１）より流入した室内空気ＲＡは、第２流入路（５７）を流れ、開口（３１ａ）から第１熱交換室（６９）に流れる。この第１熱交換室（６９）において、室内空気ＲＡは、水分が第１熱交換器（５）の吸着剤に吸着されて除湿される。この除湿された室内空気ＲＡは、排出空気ＥＡとなり、開口（３３ｃ）から第１流出路（６５）に流れ、第１ファン（７９）を介して第１吹出口（２３）より室外に排出される。
【００８２】
一方、上記第１吸込口（１９）より流入した室外空気ＯＡは、第１流入路（６３）を流れ、開口（３３ｂ）から第２熱交換室（７３）に流れる。この第２熱交換室（７３）において、室外空気ＯＡは、第２熱交換器（７）の吸着剤から脱着した水分が放出されて加湿される。この加湿された室外空気ＯＡは、調湿空気ＳＡとなり、開口（３１ｄ）から第２流出路（５９）に流れ、第２ファン（７７）を介して第２吹出口（２５）より室内に供給される。
【００８３】
次に、上記冷媒回路（２）における冷媒循環について説明する。上記圧縮機（３）を駆動すると、該圧縮機（３）で圧縮された高温高圧の冷媒が四路切換弁（１１）を経て第２熱交換器（７）に流れる。この第２熱交換器（７）において、冷媒は放熱して凝縮し、この冷媒の放熱によって第２熱交換器（７）の外表面に担持された吸着剤が加熱され、吸着剤から水分が脱着して吸着剤が再生される。
【００８４】
そして、上記第２熱交換器（７）で凝縮した冷媒は、膨張弁（６）で減圧され、第１熱交換器（５）に流れる。この第１熱交換器（５）において、冷媒は吸着剤が水分を吸着する際に発生する吸着熱を吸熱して蒸発する。この冷媒の吸熱によって吸着剤が冷却される。上記蒸発した冷媒は、再び圧縮機（３）に戻り、この冷媒循環を繰り返す。
【００８５】
上記第２動作を行った後、再び第１動作を行う。そして、この第１動作と第２動作とを繰り返して室内の加湿を連続的に行う。
【００８６】
《循環モードの除湿運転》
この循環モードの除湿運転は、室内空気ＲＡを第１空気として取り込み室内に供給する一方、室外空気ＯＡを第２空気として取り込み室外に排出する運転である。尚、上記冷媒回路（２）の冷媒循環については、全換気モードと同じであるので、説明を省略する。
【００８７】
〈第１動作〉
上記第１動作では、第２熱交換器（７）での吸着動作と、第１熱交換器（５）での再生（脱着）動作とが行われる。
【００８８】
この第１動作時には、第１ダンパ（４７）、第３ダンパ（５１）、第６ダンパ（３７）および第８ダンパ（４１）を開き、第２ダンパ（４９）、第４ダンパ（５３）、第５ダンパ（３５）および第７ダンパ（３９）を閉じる。
【００８９】
上記状態で、第１ファン（７９）および第２ファン（７７）を駆動すると、第１吸込口（１９）より流入した室外空気ＯＡは、第１流入路（６３）を流れ、開口（３３ａ）から第１熱交換室（６９）に流れる。この第１熱交換室（６９）において、室外空気ＯＡは、第１熱交換器（５）の吸着剤から脱着した水分が放出されて加湿される。この加湿された室外空気ＯＡは、排出空気ＥＡとなり、開口（３３ｃ）から第１流出路（６５）に流れ、第１ファン（７９）を介して第１吹出口（２３）より室外に排出される。
【００９０】
一方、上記第２吸込口（２１）より流入した室内空気ＲＡは、第２流入路（５７）を流れ、開口（３１ｂ）から第２熱交換室（７３）に流れる。この第２熱交換室（７３）において、室内空気ＲＡは、水分が第２熱交換器（７）の吸着剤に吸着されて除湿される。この除湿された室内空気ＲＡは、調湿空気ＳＡとなり、開口（３１ｄ）から第２流出路（５９）に流れ、第２ファン（７７）を介して第２吹出口（２５）より室内に供給される。
【００９１】
〈第２動作〉
上記第１動作を行った後、第２動作を行う。この第２動作では、第１熱交換器（５）での吸着動作と、第２熱交換器（７）での再生（脱着）動作とが行われる。
【００９２】
この第２動作時には、第２ダンパ（４９）、第４ダンパ（５３）、第５ダンパ（３５）および第７ダンパ（３９）を開き、第１ダンパ（４７）、第３ダンパ（５１）、第６ダンパ（３７）および第８ダンパ（４１）を閉じる。
【００９３】
上記状態で、第１ファン（７９）および第２ファン（７７）を駆動すると、第１吸込口（１９）より流入した室外空気ＯＡは、第１流入路（６３）を流れ、開口（３３ｂ）から第２熱交換室（７３）に流れる。この第２熱交換室（７３）において、室外空気ＯＡは、第２熱交換器（７）の吸着剤から脱着した水分が放出されて加湿される。この加湿された室外空気ＯＡは、排出空気ＥＡとなり、開口（３３ｄ）から第１流出路（６５）に流れ、第１ファン（７９）を介して第１吹出口（２３）より室外に排出される。
【００９４】
一方、上記第２吸込口（２１）より流入した室内空気ＲＡは、第２流入路（５７）を流れ、開口（３１ａ）から第１熱交換室（６９）に流れる。この第１熱交換室（６９）において、室内空気ＲＡは、水分が第１熱交換器（５）の吸着剤に吸着されて除湿される。この除湿された室内空気ＲＡは、調湿空気ＳＡとなり、開口（３１ｃ）から第２流出路（５９）に流れ、第２ファン（７７）を介して第２吹出口（２５）より室内に供給される。
【００９５】
上記第２動作を行った後、再び第１動作を行う。そして、この第１動作と第２動作とを繰り返して室内の除湿を連続的に行う。
【００９６】
《循環モードの加湿運転》
この循環モードの加湿運転は、室外空気ＯＡを第１空気として取り込み室外に排出する一方、室内空気ＲＡを第２空気として取り込み室内に供給する運転である。尚、上記冷媒回路（２）の冷媒循環については、全換気モードと同じであるので、説明を省略する。
【００９７】
〈第１動作〉
上記第１動作では、第２熱交換器（７）での吸着動作と、第１熱交換器（５）での再生（脱着）動作とが行われる。
【００９８】
この第１動作時には、第２ダンパ（４９）、第４ダンパ（５３）、第５ダンパ（３５）および第７ダンパ（３９）を開き、第１ダンパ（４７）、第３ダンパ（５１）、第６ダンパ（３７）および第８ダンパ（４１）を閉じる。
【００９９】
上記状態で、第１ファン（７９）および第２ファン（７７）を駆動すると、第２吸込口（２１）より流入した室内空気ＲＡは、第２流入路（５７）を流れ、開口（３１ａ）から第１熱交換室（６９）に流れる。この第１熱交換室（６９）において、室内空気ＲＡは、第１熱交換器（５）の吸着剤から脱着した水分が放出されて加湿される。この加湿された室内空気ＲＡは、調湿空気ＳＡとなり、開口（３１ｃ）から第２流出路（５９）に流れ、第２ファン（７７）を介して第２吹出口（２５）より室内に供給される。
【０１００】
一方、上記第１吸込口（１９）より流入した室外空気ＯＡは、第１流入路（６３）を流れ、開口（３３ｂ）から第２熱交換室（７３）に流れる。この第２熱交換室（７３）において、室外空気ＯＡは、水分が第２熱交換器（７）の吸着剤に吸着されて除湿される。この除湿された室外空気ＯＡは、排出空気ＥＡとなり、開口（３３ｄ）から第１流出路（６５）に流れ、第１ファン（７９）を介して第１吹出口（２３）より室外に排出される。
【０１０１】
〈第２動作〉
上記第１動作を行った後、第２動作を行う。この第２動作では、第１熱交換器（５）での吸着動作と、第２熱交換器（７）での再生（脱着）動作とが行われる。
【０１０２】
この第２動作時には、第１ダンパ（４７）、第３ダンパ（５１）、第６ダンパ（３７）および第８ダンパ（４１）を開き、第２ダンパ（４９）、第４ダンパ（５３）、第５ダンパ（３５）および第７ダンパ（３９）を閉じる。
【０１０３】
上記状態で、第１ファン（７９）および第２ファン（７７）を駆動すると、第２吸込口（２１）より流入した室内空気ＲＡは、第２流入路（５７）を流れ、開口（３１ｂ）から第２熱交換室（７３）に流れる。この第２熱交換室（７３）において、室内空気ＲＡは、第２熱交換器（７）の吸着剤から脱着した水分が放出されて加湿される。この加湿された室内空気ＲＡは、調湿空気ＳＡとなり、開口（３１ｄ）から第２流出路（５９）に流れ、第２ファン（７７）を介して第２吹出口（２５）より室内に供給される。
【０１０４】
一方、上記第１吸込口（１９）より流入した室外空気ＯＡは、第１流入路（６３）を流れ、開口（３３ａ）から第１熱交換室（６９）に流れる。この第１熱交換室（６９）において、室外空気ＯＡは、水分が第１熱交換器（５）の吸着剤に吸着されて除湿される。この除湿された室外空気ＯＡは、排出空気ＥＡとなり、開口（３３ｃ）から第１流出路（６５）に流れ、第１ファン（７９）を介して第１吹出口（２３）より室外に排出される。
【０１０５】
上記第２動作を行った後、再び第１動作を行う。そして、この第１動作と第２動作とを繰り返して室内の加湿を連続的に行う。
【０１０６】
《第１動作と第２動作との切換時における作用》
上述したように、調湿装置（１）では、全運転モードにおいて、第１動作と第２動作とを繰り返すことによって、除湿運転および加湿運転が連続的に行われる。ここで、上記第１動作と第２動作との切換時における冷媒回路（２）の冷媒循環について説明する。
【０１０７】
上記冷媒回路（２）の冷媒循環の切換により、第１動作から第２動作、または第２動作から第１動作に切り換わると、冷媒回路（２）における蒸発器（低圧側）と凝縮器（高圧側）とが瞬時に切り換わる。
【０１０８】
例えば、上記第１動作から第２動作に切り換えた場合、第１熱交換器（５）が凝縮器から蒸発器に切り換わり、第１熱交換器（５）と膨張弁（６）との間の配管に介在していた液冷媒のうち過剰な液冷媒が液貯留器（１００）に吸収貯留される。
【０１０９】
一方、上記第２動作から第１動作に切り換えた場合、第２熱交換器（７）が凝縮器から蒸発器に切り換わり、膨張弁（６）と第２熱交換器（７）との間の配管に介在していた液冷媒のうち過剰な液冷媒が液貯留器（１０１）に吸収貯留される。
【０１１０】
すなわち、何れの運転モードにおいても、常時冷媒回路（２）の低圧ラインで発生する過剰な冷媒量が液貯留器（１００，１０１）に吸収される。したがって、常時、蒸発器である第１熱交換器（５）または第２熱交換器（７）には、必要な冷媒量のみが流入して蒸発し、ガス冷媒となって圧縮機（３）に吸入される。この結果、液冷媒が圧縮機（３）に吸入されるのを防止することができる。
【０１１１】
−実施形態の効果−
以上説明したように、本実施形態１によれば、液冷媒の貯留可能な２個の液貯留器（１００，１０１）を第１熱交換器（５）と膨張弁（６）との間および膨張弁（６）と第２熱交換器（７）との間にそれぞれ設けて、冷媒回路（２）における冷媒循環の切換時、低圧ラインで発生する過剰な冷媒量を低圧ラインの液貯留器（１００，１０１）に吸収するようにしたので、必要な冷媒量のみが蒸発器に流入して蒸発する。そして、この蒸発したガス冷媒のみが圧縮機（３）に吸入される。したがって、液冷媒の圧縮機（３）への流入を防止することができる。この結果、安全な運転を連続的に行うことができる。
【０１１２】
【発明の実施の形態２】
次に、本発明の実施形態２を図面に基づいて詳細に説明する。
【０１１３】
本実施形態２は、図１０に示すように、上記実施形態１が冷媒回路（２）において、２個の液貯留器（１００，１０１）を第１熱交換器（５）および第２熱交換器（７）と膨張弁（６）とのそれぞれの間に設けたのに代えて、１個の液貯留器（１００）を整流機構（１０４）により常時低圧ライン、つまり、蒸発器と膨張弁（６）との間に位置するように設けたものである。
【０１１４】
具体的に、上記冷媒回路（２）は、第１熱交換器（５）と第２熱交換器（７）との間に配管接続された貯留回路（１０２）を備えている。該貯留回路（１０２）は、ブリッジ回路で構成された整流機構である方向制御回路（１０４）と、常時冷媒が一方向に流れる一方向通路（１０３）とにより構成されている。
【０１１５】
上記一方向通路（１０３）には、膨張弁（６）が設けらると共に、該膨張弁（６）の下流側に液貯留器（１００）が１個設けられている。つまり、上記一方向通路（１０３）は、冷媒が常に膨張弁（６）と液貯留器（１００）とを順に流れるように構成されている。
【０１１６】
上記方向制御回路（１０４）は、２本の流入通路（１０５）と、２本の流出通路（１０６）とがブリッジ状に接続されて構成されている。そして、各流入通路（１０５）および各流出通路（１０６）には、それぞれ逆止弁（ＣＶ）が設けられている。上記方向制御回路（１０４）は、第１動作において、凝縮器である第１熱交換器（５）からの冷媒が流入通路（１０５）を通って、一方向通路（１０３）に流れ、流出通路（１０６）を通って第２熱交換器（７）に流れるように構成されている。また、上記方向制御回路（１０４）は、第２動作において、凝縮器である第２熱交換器（７）からの冷媒が流入通路（１０５）を通って、一方向通路（１０３）に流れ、流出通路（１０６）を通って第１熱交換器（５）に流れるように構成されている。
【０１１７】
すなわち、上記貯留回路（１０２）は、第１動作および第２動作の何れの動作においても、常時液貯留器（１００）が低圧ラインに位置するように構成されている。
【０１１８】
したがって、上記第１動作と第２動作との切換時、常時低圧ラインで発生する過剰な冷媒量を１個の液貯留器（１００）に吸収貯留させることができる。この結果、装置のコンパクト化を図ることができる。その他の構成、作用および効果は、実施形態１と同様である。
【０１１９】
【発明の実施の形態３】
次に、本発明の実施形態３を図面に基づいて詳細に説明する。
【０１２０】
本実施形態３は、図１１に示すように、上記実施形態１が冷媒回路（２）において、２個の液貯留器（１００，１０１）を第１熱交換器（５）および第２熱交換器（７）と膨張弁（６）とのそれぞれの間に設けたのに代えて、冷媒回路（２）において液貯留器（１００）を１個設け、その配置を変更したものである。
【０１２１】
具体的に、上記液貯留器（１００）は、第１通路（１０７）を介して第１熱交換器（５）と膨張弁（６）との間に接続されると共に、第２通路（１０８）を介して膨張弁（６）と第２熱交換器（７）との間に接続されている。そして、上記第１通路（１０７）および第２通路（１０８）には、それぞれ開閉弁（１０９）が設けられている。また、上記液貯留器（１００）は、ガス冷媒が流通するガス抜き管（１１１）を備え、該ガス抜き管（１１１）は、圧縮機（３）の吸入側に接続されている。
【０１２２】
上記液貯留器（１００）は、第１動作において、第１通路（１０７）の開閉弁（１０９）を閉じ、第２通路（１０８）の開閉弁（１０９）を開くことによって、蒸発器である第２熱交換器（７）側の低圧ラインのみに連通される。また、上記液貯留器（１００）は、第２動作において、第１通路（１０７）の開閉弁（１０９）を開き、第２通路（１０８）の開閉弁（１０９）を閉じることによって、蒸発器である第１熱交換器（５）側の低圧ラインのみに連通される。
【０１２３】
すなわち、上記液貯留器（１００）は、第１動作および第２動作の何れの動作においても、常に蒸発器側である低圧ラインに連通されている。したがって、上記第１動作と第２動作との切換時、常時低圧ラインで発生する過剰な冷媒量を１個の液貯留器（１００）に吸収貯留させることができる。この結果、装置のコンパクト化を図ることができる。なお、過剰な冷媒量が液貯留器（１００）に吸収される際、この吸収される液冷媒と同容量のガス冷媒が液貯留器（１００）から流出して、ガス抜き管（１１１）を通って圧縮機（３）の吸入側に流れる。その他の構成、作用および効果は、実施形態１と同様である。
【０１２４】
【発明の実施の形態４】
次に、本発明の実施形態４を図面に基づいて詳細に説明する。
【０１２５】
本実施形態４は、図１２に示すように、上記実施形態２における圧縮機（３）の吸入側に受液器であるアキュームレータ（１１０）を設けるようにしたものである。
【０１２６】
上記アキュームレータ（１１０）は、第１動作に切換時、凝縮器から蒸発器に切り換わる第１熱交換器（５）に介在していた液冷媒が圧縮機（３）に吸入される前にアキュームレータ（１１０）に貯留される。また、上記アキュームレータ（１１０）は、第２動作に切換時、凝縮器から蒸発器に切り換わる第２熱交換器（７）に介在していた液冷媒が圧縮機（３）に吸入される前にアキュームレータ（１１０）に貯留される。
【０１２７】
つまり、上記アキュームレータ（１１０）は、上記第１動作と第２動作との切換時、低圧側に切り換わった蒸発器に介在していた液冷媒を吸収するように構成されている。したがって、液冷媒が圧縮機（３）に吸入されるのを確実に防止することができるので、より安全な運転を行うことができる。その他の構成、作用および効果は、実施形態２と同様である。
【０１２８】
【発明の実施の形態５】
次に、本発明の実施形態５を図面に基づいて詳細に説明する。
【０１２９】
本実施形態５は、図１３に示すように、上記実施形態１が冷媒回路（２）において、２個の液貯留器（１００，１０１）を第１熱交換器（５）および第２熱交換器（７）と膨張弁（６）とのそれぞれの間に設けたのに代えて、冷媒回路（２）において１個の液貯留器（１００）を圧縮機（３）の吸入側に設けたものである。本実施形態では、低圧ラインのほぼ全体に亘って発生する過剰冷媒を液貯留器（１００）に吸収することができる。その他の構成は、実施形態１と同様である。
【０１３０】
【発明のその他の実施の形態】
本発明は、上記各実施形態について、以下のような構成としてもよい。
【０１３１】
例えば、上記実施形態１および実施形態３において、実施形態４と同様に、圧縮機（３）の吸入側に受液器であるアキュームレータ（１１０）を設けるようにしてもよい。
【０１３２】
また、上記実施形態２および実施形態４では、貯留回路（１０２）における整流機構としてブリッジ回路で構成された方向制御回路（１０４）を用いるようにしたが、整流機構として流路切換手段である四路切換弁を用いてもよい。
【０１３３】
【発明の効果】
したがって、請求項１に係る発明によれば、冷媒回路（２）における冷媒循環の切換時に少なくとも低圧ラインで発生する過剰な冷媒量を冷媒調節機構（１００）に吸収させるようにしたので、液冷媒が圧縮機（３）に吸入されるのを防止することができる。したがって、安全な運転を行うことができる。
【０１３４】
また、請求項２に係る発明によれば、冷媒調節機構である２個の液貯留器（１００，１０１）を第１熱交換器（５）と膨張機構（６）との間および膨張機構（６）と第２熱交換器（７）との間にそれぞれ設けて、常時低圧ラインで発生する過剰な冷媒量を低圧側の液貯留器（１００，１０１）に貯留するようにしたので、蒸発器として機能する第１熱交換器（５）または第２熱交換器（７）に必要な冷媒量のみを流し、蒸発させることができる。したがって、液冷媒の圧縮機（３）への流入を確実に防止することができる。この結果、より安全な運転を行うことができる。
【０１３５】
また、請求項３に係る発明によれば、整流機構（１０４）によって、常時冷媒が膨張機構（６）と液貯留器（１００）とを順に流れるようにしたので、液貯留器（１００）は、常時低圧ラインに位置する。したがって、常時低圧ラインで発生する過剰な冷媒量を１個の液貯留器（１００）に貯留することができ、蒸発器として機能する第１熱交換器（５）または第２熱交換器（７）に必要な冷媒量のみを流し、蒸発させることができる。この結果、安全で且つコンパクトな装置を提供することができる。
【０１３６】
また、請求項４に係る発明によれば、冷媒回路（２）における冷媒循環の切換に応じて各開閉弁（１０９）を開閉させることによって、常時液貯留器（１００）と低圧ラインとが連通するようにしたので、常時低圧ラインで発生する過剰な冷媒量を１個の液貯留器（１００）に貯留することができ、請求項３に係る発明と同様、蒸発器として機能する第１熱交換器（５）または第２熱交換器（７）に必要な冷媒量のみを流し、蒸発させることができる。したがって、安全で且つコンパクトな装置を提供することができる。
【０１３７】
また、請求項５に係る発明によれば、圧縮機（３）の吸入側に液貯留器（１００）を設けるようにしたので、低圧ラインのほぼ全体に亘って発生する過剰冷媒を液貯留器（１００）に吸収することができる。
【０１３８】
また、請求項６に係る発明によれば、圧縮機（３）の吸入側に受液器（１１０）を設けて、蒸発器として切り換わった第１熱交換器（５）または第２熱交換器（７）に介在していた液冷媒を受液器（１１０）に貯留させるようにしたので、液冷媒の圧縮機（３）への流入を確実に防止することができる。したがって、より安全な運転を行うことができる。
【図面の簡単な説明】
【図１】実施形態１に係る調湿装置の冷媒回路図である。
【図２】実施形態に係る熱交換器の斜視図である。
【図３】上面板を省略したケーシングの平面図である。
【図４】図３のＡ−Ａ線におけるケーシングの端面図である。
【図５】図３のＢ−Ｂ線におけるケーシングの端面図である。
【図６】除湿の第１動作を示し、上面板を省略したケーシングの平面図である。
【図７】除湿の第２動作を示し、上面板を省略したケーシングの平面図である。
【図８】加湿の第１動作を示し、上面板を省略したケーシングの平面図である。
【図９】加湿の第２動作を示し、上面板を省略したケーシングの平面図である。
【図１０】実施形態２に係る調湿装置の冷媒回路図である。
【図１１】実施形態３に係る調湿装置の冷媒回路図である。
【図１２】実施形態４に係る調湿装置の冷媒回路図である。
【図１３】実施形態５に係る調湿装置の冷媒回路図である。
【符号の説明】
（１）調湿装置
（２）冷媒回路
（３）圧縮機
（５）第１熱交換器
（６）膨張弁（膨張機構）
（７）第２熱交換器
（１００）液貯留器（冷媒調節機構）
（１０１）液貯留器（冷媒調節機構）
（１０３）一方向通路
（１０４）方向制御回路（整流機構）
（１０７）第１通路
（１０８）第２通路
（１０９）開閉弁
（１１０）アキュームレータ（受液器）
（１１１）ガス抜き管
【図１】
2004332949.tif 000003
【図２】
2004332949.tif 000004
【図３】
2004332949.tif 000005
【図４】
2004332949.tif 000006
【図５】
2004332949.tif 000007
【図６】
2004332949.tif 000008
【図７】
2004332949.tif 000009
【図８】
2004332949.tif 000010
【図９】
2004332949.tif 000011
【図１０】
2004332949.tif 000012
【図１１】
2004332949.tif 000013
【図１２】
2004332949.tif 000014
【図１３】
2004332949.tif 000015